(57)【要約】【課題】携帯電話網における発信規制方式に関し、交換装置が輻輳し発信規制を行なっても、ユーザ間において優先接続を行うことを課題とする。【解決手段】第１の発明では、複数の携帯電話２０と通信を送受する無線基地局（図示せず）と、該無線基地局と通信を送受する交換装置１０とを設けた。前記交換装置内１０に、自交換装置１０が発信規制中であれば優先接続順位を示すユーザ選択情報および携帯電話２０のエリア情報とをユーザ毎に格納するユーザ情報管理手段１２と、携帯電話２０からの発呼要求を受けた時、自交換装置１０が発信規制中であれば、前記ユーザ情報管理手段１２が保持する情報を収集し、収集したエリア情報と照合し、一致する発呼要求したユーザの携帯電話２０に対して、収集したユーザ選択情報により発呼規制を行なう発信規制制御手段１１とを備えた。【選択図】　図１
2004023648.tif 000002
【特許請求の範囲】
【請求項１】
複数の携帯電話と、該携帯電話と通信を送受する無線基地局と、該無線基地局と通信を送受する交換装置とを有する携帯電話網において、
前記交換装置内に、
自交換装置が発信規制中であれば優先接続順位を示すユーザ選択情報に基づき、前記ユーザ選択情報および携帯電話のエリア情報とをユーザ毎に格納するユーザ情報管理手段と、
携帯電話からの発呼要求を受けた時、自交換装置が発信規制中であれば、前記ユーザ情報管理手段が保持するユーザ選択情報およびエリア情報とを収集し、収集したエリア情報と発呼要求したエリア情報とを照合し、一致する発呼要求したユーザの携帯電話に対して、収集したユーザ選択情報により、発呼規制を行なう発信規制制御手段とを備えたことを特徴とする携帯電話網における発信規制優先方式。
【請求項２】
前記携帯電話内に、
自交換装置が発信規制中であれば優先接続順位を示すユーザ選択情報を格納する優先情報管理手段と、
前記優先情報管理手段から送られるユーザ選択情報と携帯電話のエリア情報とを前記ユーザ情報管理手段に送信するエリア情報送信手段とを備え、
前記ユーザ情報管理手段は、前記エリア情報送信手段から送られるユーザ選択情報およびエリア情報とをユーザ毎に格納することを特徴とする請求項１に記載の携帯電話網における発信規制優先方式。
【請求項３】
前記優先情報管理手段は、着電話番号及び発呼回数及び発呼時刻を発呼履歴情報として格納し、
前記エリア情報送信手段は、前記優先情報管理手段から送られる発呼履歴情報と携帯電話のエリア情報とを前記ユーザ情報管理手段に送信し、
前記ユーザ情報管理手段は、前記エリア情報送信手段から送られる発呼履歴情報およびエリア情報とをユーザ毎に格納し、
前記発信規制制御手段は、携帯電話からの発呼要求を受けた時、自交換装置が発信規制中であれば、前記ユーザ情報管理手段が保持するユーザ毎の発呼履歴情報およびエリア情報とを収集し、
収集したエリア情報と発呼要求したユーザのエリア情報とを照合し、一致する発呼要求したユーザを抽出し、
抽出したユーザ毎の前記発呼履歴情報の着電話番号及び発呼回数及び発呼時刻により、単位時間あたりの同一着電話番号ヘの発呼回数の算出を行い、算出結果から、前記抽出したユーザ間の比較を行い、
比較結果により、発呼要求したユーザの携帯電話に対して発呼規制を行なうことを特徴とする請求項２に記載の携帯電話網における発信規制優先方式。
【発明の詳細な説明】
【０００１】
【発明の属する技術分野】本発明は、携帯電話網における発信規制方式に関するものである。
【０００２】
【従来の技術】
図６は、携帯電話網の概略説明図である。なお、図６の▲１▼は交換装置からの発信規制信号、▲２▼は携帯電話からの発呼要求、▲３▼は呼接続をそれぞれ示す。
【０００３】
図６において、各無線エリア１，２・・に各無線基地局Ａ，Ｂ・・が設けられ、無線エリア１にいる携帯電話ａ，ｂ，ｃは、無線回線を介して無線基地局Ａと通信の送受を行なっている。また、無線基地局Ａは交換装置Ａを介して、無線基地局Ｂ及び交換装置Ｂと接続されている。
【０００４】
従来の携帯電話網における交換装置の発信規制（又は接続規制又は発呼規制ということがある）では、交換装置Ａが輻輳した時、携帯電話ａ，ｂ，ｃに一律に発信規制信号を送出すると、発信規制率が１００％の場合には、必要な通話チャネルに空きが無いので、携帯電話からは発信が出来なくなるが、発信規制率が１００％以外の場合、トラヒック量に応じて発動される。
【０００５】
例えば３回に２回の発信規制発動（図６の▲１▼）の場合には、携帯電話ａ，ｂ，ｃそれぞれが発呼要求（図６の▲２▼）をした時に、タイミング等により携帯電話ａが携帯電話ｇと呼接続（図６の▲３▼）されることがある。
【０００６】
【発明が解決しようとする課題】
上述した様に、交換装置がユーザへの発信規制がトラヒック量に応じて行われる場合、ユーザ間で発呼の優先付けが無いため、ランダムに発呼可能なユーザと発呼規制がかかってしまうユーザとが出現し、不公平感が生じている。
【０００７】
本発明は、このような課題に鑑みてなされたものであって、交換装置に輻輳が発生し、交換装置がトラヒック量に応じて発信規制を行なう場合でも、ユーザ間において優先的に呼接続を行なうことが出来る携帯電話網における発信規制優先方式を提供することを目的としている。
【０００８】
【課題を解決するための手段】
前述した課題を解決するために、本発明は、次に示す構成の携帯電話網における発信規制優先方式を提供する。
【０００９】
第１の発明では、少なくとも、複数の携帯電話と、該携帯電話と通信を送受する無線基地局と、該無線基地局と通信を送受する交換装置とを設けた。
【００１０】
前記交換装置内に、
自交換装置が発信規制中であれば優先接続順位を示すユーザ選択情報に基づき、前記ユーザ選択情報および携帯電話のエリア情報とをユーザ毎に格納するユーザ情報管理手段と、
携帯端末からの発呼要求を受けた時、自交換装置が発信規制中であれば、前記ユーザ情報管理手段が保持するユーザ選択情報およびエリア情報とを収集し、収集したエリア情報と発呼要求したエリア情報とを照合し、一致する発呼要求したユーザの携帯電話に対して、収集したユーザ選択情報により、発呼規制を行なう発信規制制御手段とを備えた。
【００１１】
このように構成することにより、前記発信規制制御手段は、優先接続順位を示すユーザ選択情報により、発呼要求したユーザに対して、発呼規制が出来るので、交換装置に輻輳が発生し、交換装置が発信規制を行なう場合でも、ユーザ間において優先接続を行なうことが出来る。
【００１２】
第２の発明では、少なくとも、複数の携帯電話と、該携帯電話と通信を送受する無線基地局と、該無線基地局と通信を送受する交換装置とを設けた。
【００１３】
前記携帯電話内に、
自交換装置が発信規制中であれば優先接続順位を示すユーザ選択情報を格納する優先情報管理手段と、
前記優先情報管理手段から送られるユーザ選択情報と携帯電話のエリア情報とを前記ユーザ情報管理手段に送信するエリア情報送信手段とを備え、
また、前記交換装置内に、
前記エリア情報送信手段から送られるユーザ選択情報およびエリア情報とをユーザ毎に格納するユーザ情報管理手段と、
携帯電話からの発呼要求を受けた時、自交換装置が発信規制中であれば、前記ユーザ情報管理手段が保持するユーザ選択情報およびエリア情報とを収集し、収集したエリア情報と発呼要求したエリア情報とを照合し、一致する発呼要求したユーザの携帯電話に対して、収集したユーザ選択情報により、発呼規制を行なう発信規制制御手段とを備えた。
【００１４】
このように構成することにより、前記発信規制制御手段は、優先接続順位を示すユーザ選択情報により、発呼要求したユーザに対して、発呼規制が出来るので、交換装置に輻輳が発生し、交換装置が発信規制を行なう場合でも、ユーザ間において優先接続を行なうことが出来る。
【００１５】
第３の発明では、少なくとも、複数の携帯電話と、該携帯電話と通信を送受する無線基地局と、該無線基地局と通信を送受する交換装置とを設けた。
【００１６】
前記携帯電話内に、
着電話番号及び発呼回数及び発呼時刻を発呼履歴情報として格納する優先情報管理手段と、
前記優先情報管理手段から送られる発呼履歴情報と携帯電話のエリア情報とを前記交換装置内に備えたユーザ情報管理手段に送信するエリア情報送信手段とを備え、
また、前記交換装置内に、
前記エリア情報送信手段から送られる発呼履歴情報およびエリア情報とをユーザ毎に格納するユーザ情報管理手段と、
携帯電話からの発呼要求を受けた時、自交換装置が発信規制中であれば、前記ユーザ情報管理手段が保持するユーザ毎の発呼履歴情報およびエリア情報とを収集し、
収集したエリア情報と発呼要求したユーザのエリア情報とを照合し、一致する発呼要求したユーザを抽出し、
抽出したユーザ毎の前記発呼履歴情報の着電話番号及び発呼回数及び発呼時刻により、単位時間あたりの同一着電話番号ヘの発呼回数の算出を行い、算出結果から、前記抽出したユーザ間の比較を行い、
比較結果により、発呼要求したユーザの携帯電話に対して発呼規制を行なう発信規制制御手段とを備えた。
【００１７】
このように構成することにより、前記発信規制制御手段は、発呼要求したユーザ間の比較により、発呼要求したユーザに対して、発呼規制が出来るので、交換装置に輻輳が発生し、交換装置が発信規制を行なう場合でも、ユーザ間において優先接続を行なうことが出来る。
【００１８】
【発明の実施の形態】
以下、本発明による携帯電話網における発信規制優先方式の実施形態を図面により詳細に説明する。図１は本発明の原理構成を示すブロック図である。
【００１９】
図１において、１０は交換装置、１１は発信規制制御手段、１２はユーザ情報管理手段、２０は携帯電話、４１は優先情報管理手段、４２はエリア情報送信手段である。
【００２０】
本発明の原理構成は、図１に示すように、複数の携帯電話２０と、該携帯電話２０と通信を送受する無線基地局（図示せず）と、該無線基地局と通信を送受する交換装置１０とにより構成されている。尚、交換装置１０は電話交換機、ＡＴＭ交換機等であってもよい。
【００２１】
前記携帯電話２０内に、ユーザ情報を格納する優先情報管理手段４１と、前記優先情報管理手段４１から送られるユーザ情報と携帯電話２０のエリア情報とを交換装置１０内のユーザ情報管理手段１２に送信するエリア情報送信手段４２とを備え、前記交換装置１０内に、携帯電話２０のエリア情報とユーザ情報とをユーザ毎に格納するユーザ情報管理手段１２と、携帯電話２０からの発呼要求を受けた時、自交換装置１０が発信規制中であれば、前記ユーザ情報管理手段１２が保持する情報を収集し、収集した情報により発呼要求したユーザの携帯端末２０に対して、発呼規制を行なう発信規制制御手段１１とを備えた。
【００２２】
次に、前述のように構成される携帯電話網における本発明の実施の形態を詳細に説明する。図２は本発明の第１の実施の形態例を示すブロック図である。図１と同一のものは、同一の符号を付して示す。
【００２３】
第１の実施例は、交換装置１０内に備えたユーザ情報管理部１２に予め、交換装置１０が発信規制中であれば高優先接続または低優先接続かのユーザの選択情報を格納しておき、その選択情報を用いて、発呼要求したユーザに対して、発呼規制を行なう方法を用いたものである。
【００２４】
図に示す携帯電話網は、複数の携帯電話２１、２２、２３と、該携帯電話２１、２２、２３と通信を送受する無線基地局（図示せず）と、無線基地局と通信を送受する交換装置１０とにより構成されている。
【００２５】
また、図中の各携帯電話２１、２２、２３において、携帯電話２１はａユーザで、交換装置１０が発信規制中であれば高優先接続の選択者、携帯電話２２はｂユーザ、携帯電話２３はｃユーザで、ｂおよびｃユーザは、交換装置１０が発信規制中であれば低優先接続の選択者であるものとし、それぞれのユーザ選択情報及び電話番号とをユーザ管理情報部１２にユーザ毎に格納していることを示している。
【００２６】
尚、前記電話番号は、携帯電話のエリア情報に含まれる個人が特定できるコード番号の一例である。また、図中の携帯電話ｄについては、携帯電話２１（ａユーザ）が発呼要求している相手先であるものとし、構成上において重要ではない。
【００２７】
図において、前記携帯電話２１、２２、２３は、無線基地局（図示せず）を経由して、交換装置１０内の発信規制制御部１１内に備えた発信規制判断部３１に発呼要求の情報を通知する。
【００２８】
前記発信規制判断部３１は、携帯電話２１、２２、２３からの発呼要求の情報を受けた時点で、自交換装置１０が発信規制中であるかを調査する。
【００２９】
調査後、自交換装置１０が、トラヒック量に応じた発信規制中（例えば３回に２回の発信規制中）でないと判断した場合は、発信規制率１００％または発信規制解除状態であるので、その情報を発呼許可／否判断部３２に通知し、発呼許可／否判断部３２で発呼規制信号または制御信号（通常の応答）を、発呼要求したユーザに対して送信する。
【００３０】
ここで、前記発信規制判断部３１が、自交換装置１０がトラヒック量に応じた発信規制中であると判断した場合には、ユーザ情報管理部１２が保持する交換装置１０が発信規制中であれば高優先接続または低優先接続かの選択情報および電話番号とを収集するため、保守者により、交換装置１０が発信規制中であれば高優先接続または低優先接続かの選択情報および電話番号とをユーザ毎に格納されたユーザ情報管理部１２に要求する。
【００３１】
前記ユーザ情報管理部１２は、前記発信規制判断部３１の要求に従い、ａユーザ（高優先接続及び電話番号０９０−１１１１−１１１１）及びｂユーザ（低優先接続及び電話番号０９０−２２２２−２２２２）及びｃユーザ（低優先接続及び電話番号０９０−３３３３−３３３３）のユーザ選択情報及びユーザ電話番号とを発信規制制御部１１内に備えた発呼許可／否判断部３２に返却する。
【００３２】
前記発呼許可／否判断部３２は、前記ユーザ情報管理部１２より収集したａ，ｂ，ｃユーザの電話番号と発呼要求した携帯電話２１（ａユーザ）、２２（ｂユーザ）、２３（ｃユーザ）の電話番号とを照合する。
【００３３】
図によれば、発呼要求したａユーザの電話番号は０９０−１１１１−１１１１であり、収集したａユーザの電話番号０９０−１１１１−１１１１と一致するので、収集したユーザ選択情報から、ａユーザは、発信規制中であれば高優先接続の選択者との判断が出来、同様に、ｂ及びｃユーザは低優先接続の選択者との判断ができるので、前記発呼許可／否判断部３２は、発呼要求した携帯電話２１には通話チャネルに空きがあれば制御信号（通常の応答）、携帯電話２２及び２３には発呼規制信号を送信する。
【００３４】
このようにすることで、発信希望選択者（ａユーザ）は、トラヒック量に応じた発信規制中であっても、優先的に発呼可能となり、図中のｄユーザと呼接続される。
【００３５】
次に、本発明の第２の実施例を説明する。図３は本発明の第２の実施の形態例を示すブロック図である。図１と同一のものは、同一の符号を付して示す。
【００３６】
第２の実施例は、各携帯電話２１，２２，２３に予め、交換装置１０が発信規制中であれば高優先接続または低優先接続かを選択出来る方法を用いたものである。
【００３７】
図に示す携帯電話網は、複数の携帯電話２１、２２、２３と、該携帯電話２１、２２、２３と通信を送受する無線基地局（図示せず）と、無線基地局と通信を送受する交換装置１０とにより構成されている。
【００３８】
また、図中の各携帯電話２１、２２、２３において、携帯電話２１はａユーザで、交換装置１０が発信規制中であれば高優先接続の選択者、携帯電話２２はｂユーザ、携帯電話２３はｃユーザで、ｂおよびｃユーザは、交換装置１０が発信規制中であれば低優先接続の選択者であるものとし、それぞれのユーザ選択情報及び電話番号とをユーザ管理情報部１２にユーザ毎に格納していることを示している。
【００３９】
尚、前記電話番号は、携帯電話のエリア情報に含まれる個人が特定できるコード番号の一例である。また、図中の携帯電話ｄについては、携帯電話２１（ａユーザ）が発呼要求している相手先であるものとし、構成上において重要ではない。
【００４０】
図において、前記携帯電話２１、２２、２３内に備えられた優先情報管理部４１は、各ユーザが予め交換装置１０が発信規制中であれば高優先接続または低優先接続かを選択したユーザ選択情報を格納し、エリア情報送信部４２に通知する。
【００４１】
前記エリア情報送信部４２は、電話番号を含むエリア情報を送信時、前記ユーザ選択情報を付加情報として、ユーザ情報管理部１２に送信する。
【００４２】
前記ユーザ情報管理部１２は、前記エリア情報送信部４２の情報を受信後、ユーザ毎に情報を格納する。
【００４３】
図において、前記携帯電話２１、２２、２３は、無線基地局（図示せず）を経由して、交換装置１０内の発信規制制御部１１内に備えた発信規制判断部３１に発呼要求の情報を通知する。
【００４４】
前記発信規制判断部３１は、携帯電話２１、２２、２３からの発呼要求の情報を受けた時点で、自交換装置１０が発信規制中であるかを調査する。
【００４５】
調査後、自交換装置１０が、トラヒック量に応じた発信規制中（例えば３回に２回の発信規制中）でないと判断した場合は、発信規制率１００％または発信規制解除状態であるので、その情報を発呼許可／否判断部３２に通知し、発呼許可／否判断部３２で発呼規制信号または制御信号（通常の応答）を、発呼要求したユーザに対して送信する。
【００４６】
ここで、前記発信規制判断部３１が、自交換装置１０がトラヒック量に応じた発信規制中であると判断した場合には、ユーザ情報管理部１２が保持する交換装置１０が発信規制中であれば高優先接続または低優先接続かの選択情報および電話番号とを収集するため、ユーザ情報管理部１２に要求する。
【００４７】
前記ユーザ情報管理部１２は、前記発信規制判断部３１の要求に従い、ａユーザ（高優先接続及び電話番号０９０−１１１１−１１１１）及びｂユーザ（低優先接続及び電話番号０９０−２２２２−２２２２）及びｃユーザ（低優先接続及び電話番号０９０−３３３３−３３３３）のユーザ選択情報及びユーザ電話番号とを発信規制制御部１１内に備えた発呼許可／否判断部３２に返却する。
【００４８】
前記発呼許可／否判断部３２は、前記ユーザ情報管理部１２より収集したａ，ｂ，ｃユーザの電話番号と発呼要求した携帯電話２１（ａユーザ）、２２（ｂユーザ）、２３（ｃユーザ）の電話番号とを照合する。
【００４９】
図によれば、発呼要求したａユーザの電話番号は０９０−１１１１−１１１１であり、収集したａユーザの電話番号０９０−１１１１−１１１１と一致するので、収集したユーザ選択情報から、ａユーザは、発信規制中であれば高優先接続の選択者との判断が出来、同様に、ｂ及びｃユーザは低優先接続の選択者との判断ができるので、前記発呼許可／否判断部３２は、発呼要求した携帯電話２１には通話チャネルに空きがあれば制御信号（通常の応答）、携帯電話２２及び２３には発呼規制信号を送信する。このようにすることで、発信希望選択者（ａユーザ）は、トラヒック量に応じた発信規制中であっても、優先的に発呼可能となり、図中のｄユーザと呼接続される。
【００５０】
次に、本発明の第３の実施例を説明する。図４は本発明の第３の実施の形態例を示すブロック図である。図１と同一のものは、同一の符号を付して示す。
【００５１】
第３の実施例は、各携帯電話２１、２２、２３に予め、ユーザの発呼履歴情報を格納する方法を用いたものである。
【００５２】
図に示す携帯電話網は、複数の携帯電話２１、２２、２３と、該携帯電話２１、２２、２３と通信を送受する無線基地局（図示せず）と、無線基地局と通信を送受する交換装置１０とにより構成されている。
【００５３】
また、図中の各携帯電話２１、２２、２３において、携帯電話２１はａユーザ、携帯電話２２はｂユーザ、携帯電話２３はｃユーザであるものとし、それぞれの発呼要求時に生じる着電話番号及び発呼回数及び発呼時刻とを発呼履歴情報として、電話番号とともにユーザ管理情報部１２にユーザ毎に格納していることを示している。
【００５４】
尚、前記電話番号は、携帯電話のエリア情報に含まれる個人が特定できるコード番号の一例である。また、図中の携帯電話ｄについては、携帯電話２１（ａユーザ）が発呼要求している相手先であるものとし、構成上において重要ではない。
【００５５】
図において、前記携帯電話２１、２２、２３内に備えられた優先情報管理部４１は、各ユーザが発呼要求した時の着電話番号及び発呼回数及び発呼時刻の情報を発呼履歴情報として格納し、エリア情報送信部４２に通知する。
【００５６】
前記エリア情報送信部４２は、電話番号を含むエリア情報を送信時、前記発呼履歴情報を付加情報として、ユーザ情報管理部１２に送信する。
【００５７】
前記ユーザ情報管理部１２は、前記エリア情報送信部４２の情報を受信後、ユーザ毎に情報を格納する。
【００５８】
図において、前記携帯電話２１、２２、２３は、無線基地局（図示せず）を経由して、交換装置１０内の発信規制制御部１１内に備えた発信規制判断部３１に発呼要求の情報を通知する。
【００５９】
前記発信規制判断部３１は、携帯電話２１、２２、２３からの発呼要求の情報を受けた時点で、自交換装置１０が発信規制中であるかを調査する。
【００６０】
調査後、自交換装置１０が、トラヒック量に応じた発信規制中（例えば３回に２回の発信規制中）でないと判断した場合は、発信規制率１００％または発信規制解除状態であるので、その情報を発呼許可／否判断部３２に通知し、発呼許可／否判断部３２で発呼規制信号または制御信号（通常の応答）を、発呼要求したユーザに対して送信する。
【００６１】
ここで、前記発信規制判断部３１が、自交換装置１０がトラヒック量に応じた発信規制中であると判断した場合には、ユーザ情報管理部１２が保持するユーザの発呼履歴情報（着電話番号及び発呼回数及び発呼時刻）及び電話番号とを収集するため、ユーザ情報管理部１２に要求する。
【００６２】
前記ユーザ情報管理部１２は、前記発信規制判断部３１の要求に従い、ａユーザおよびｂユーザおよびｃユーザのそれぞれの発呼履歴情報及びユーザ電話番号とを発信規制制御部１１内に備えた発呼許可／否判断部３２に返却する。
【００６３】
前記発呼許可／否判断部３２は、前記ユーザ情報管理部１２より収集したユーザの電話番号と発呼要求した携帯電話２１（ａユーザ）、２２（ｂユーザ）、２３（ｃユーザ）の電話番号とを照合し、一致する発呼要求したユーザを抽出する。
【００６４】
ここで、抽出したユーザ毎に前記発呼履歴情報の着電話番号及び発呼回数及び発呼時刻とにより、単位時間あたりの同一着電話番号ヘの発呼回数を調査し、調査結果から、前記抽出したユーザ間を比較して優先順位付けを行い、優先順位結果から、発呼要求したユーザに対して、発呼許可または発呼規制の判断を行なうものである。
【００６５】
次に、前記発呼許可／否判断部３２においての発呼要求したユーザに対しての発呼許可または発呼規制の判断方法を示す。
【００６６】
前記発呼許可／否判断部３２の内部規定を、１分間当たりの、発呼要求した時の同一着電話番号への回数が１回以上の場合は発呼許可とし、同一着電話番号への回数が１回未満の場合は発呼規制とした場合に、
図によれば、前記発呼許可／否判断部３２の調査時間を１０：００から１０：０３までの３分間の範囲とした場合に、同一着電話番号ヘの発呼要求回数は、ａユーザの場合、同一着電話番号（０９０−１２３４−１２３４）に３分間で３回の発呼要求をしており、ｂユーザ、ｃユーザは、３分間で１回の発呼要求をしている。
【００６７】
次に、１０：００から１０：０３までの３分間の範囲で、１分間当たりの、同一着電話番号への発呼回数は、ａユーザが１回、ｂ，ｃユーザが０．３３・・回となるので、ａ、ｂ、ｃユーザ間での算出結果による比較しての優先順位は、ａユーザが１位となり、ｂ及びｃユーザは２位となる。また、ａユーザは、前記内部規定を上回っており発呼許可の対象となるが、ｂ，ｃユーザは、内部規定を下回っているので、発呼規制の対象となる。
【００６８】
よって、前記発呼許可／否判断部３２は、発呼要求した携帯電話２１に対して通話チャネルに空きがあれば制御信号（通常の応答）、携帯電話２２及び２３に対しては発呼規制信号を送信する。
【００６９】
このようにすることで、図中のａユーザは、トラヒック量に応じた発信規制中であっても、優先的に発呼可能となり、図中のｄユーザと呼接続される。
【００７０】
次に、本発明の第４の実施例を説明する。図５は本発明の第４の実施の形態例を示すブロック図である。図１と同一のものは、同一の符号を付して示す。
【００７１】
第４の実施例は、交換装置１０内に備えたユーザ情報管理部１２にユーザ毎の発呼履歴情報を格納する方法を用いたものである。
【００７２】
図に示す携帯電話網は、複数の携帯電話２１、２２、２３と、該携帯電話２１、２２、２３と通信を送受する無線基地局（図示せず）と、無線基地局と通信を送受する交換装置１０とにより構成されている。
【００７３】
また、図中の各携帯電話２１、２２、２３において、携帯電話２１はａユーザ、携帯電話２２はｂユーザ、携帯電話２３はｃユーザであるものとし、それぞれの発呼要求時に生じる着電話番号及び発呼回数及び発呼時刻とを発呼履歴情報として、電話番号とともにユーザ管理情報部１２にユーザ毎に格納していることを示している。
【００７４】
尚、前記電話番号は、携帯電話のエリア情報に含まれる個人が特定できるコード番号の一例である。また、図中の携帯電話ｄについては、携帯電話２１（ａユーザ）が発呼要求している相手先であるものとし、構成上において重要ではない。
【００７５】
図において、前記携帯電話２１、２２、２３は、無線基地局（図示せず）を経由して、交換装置１０内の発信規制制御部１１内に備えた発信規制判断部３１に発呼要求の情報を通知する。
【００７６】
前記ユーザ情報管理部１２は、携帯電話２１、２２、２３のそれぞれの発呼要求した時の着電話番号及び発呼回数及び発呼時刻とを発呼履歴情報としてユーザ電話番号とともにユーザ毎に格納する。
【００７７】
前記発信規制判断部３１は、携帯電話２１、２２、２３からの発呼要求の情報を受けた時点で、自交換装置１０が発信規制中であるかを調査する。
【００７８】
調査後、自交換装置１０が、トラヒック量に応じた発信規制中（例えば３回に２回の発信規制中）でないと判断した場合は、発信規制率１００％または発信規制解除状態であるので、その情報を発呼許可／否判断部３２に通知し、発呼許可／否判断部３２で発呼規制信号または制御信号（通常の応答）を、発呼要求したユーザに対して送信する。
【００７９】
ここで、前記発信規制判断部３１が、自交換装置１０がトラヒック量に応じた発信規制中であると判断した場合には、ユーザ情報管理部１２が保持するユーザの発呼履歴情報（着電話番号及び発呼回数及び発呼時刻）及び電話番号とを収集するため、ユーザ情報管理部１２に要求する。
【００８０】
前記ユーザ情報管理部１２は、前記発信規制判断部３１の要求に従い、ａユーザおよびｂユーザおよびｃユーザのそれぞれの発呼履歴情報及びユーザ電話番号とを発信規制制御部１１内に備えた発呼許可／否判断部３２に返却する。
【００８１】
前記発呼許可／否判断部３２は、前記ユーザ情報管理部１２より収集したユーザの電話番号と発呼要求した携帯電話２１（ａユーザ）、２２（ｂユーザ）、２３（ｃユーザ）の電話番号とを照合し、一致する発呼要求したユーザを抽出する。
【００８２】
ここで、抽出したユーザ毎に前記発呼履歴情報の着電話番号及び発呼回数及び発呼時刻とにより、単位時間あたりの同一着電話番号ヘの発呼回数を調査し、調査結果から、前記抽出したユーザ間を比較して優先順位付けを行い、優先順位結果から、発呼要求したユーザに対して、発呼許可または発呼規制の判断を行なうものである。
【００８３】
次に、前記発呼許可／否判断部３２においての発呼要求したユーザに対しての発呼許可または発呼規制の判断方法を示す。
【００８４】
前記発呼許可／否判断部３２の内部規定を、１分間当たりの、発呼要求した時の同一着電話番号への回数が１回以上の場合は発呼許可とし、同一着電話番号への回数が１回未満の場合は発呼規制とした場合に、
図によれば、前記発呼許可／否判断部３２の調査時間を１０：００から１０：０３までの３分間の範囲とした場合に、同一着電話番号ヘの発呼要求回数は、ａユーザの場合、同一着電話番号（０９０−１２３４−１２３４）に３分間で３回の発呼要求をしており、ｂユーザ、ｃユーザは、３分間で１回の発呼要求をしている。
【００８５】
次に、１０：００から１０：０３までの３分間の範囲で、１分間当たりの、同一着電話番号への発呼回数は、ａユーザが１回、ｂ，ｃユーザが０．３３・・回となるので、ａ、ｂ、ｃユーザ間での算出結果による比較しての優先順位は、ａユーザが１位となり、ｂ及びｃユーザは２位となる。また、ａユーザは、前記内部規定を上回っており発呼許可の対象となるが、ｂ，ｃユーザは、内部規定を下回っているので、発呼規制の対象となる。
【００８６】
よって、前記発呼許可／否判断部３２は、発呼要求した携帯電話２１に対して通話チャネルに空きがあれば制御信号（通常の応答）、携帯電話２２及び２３に対しては発呼規制信号を送信する。
【００８７】
このようにすることで、図中のａユーザは、トラヒック量に応じた発信規制中であっても、優先的に発呼可能となり、図中のｄユーザと呼接続される。
【００８８】
【発明の効果】
以上説明したように、本発明によれば、交換装置に輻輳が発生し、交換装置がトラヒック量に応じて発信規制を行なう場合でも、加入者ごと設けられたユーザ情報に応じて発呼処理を行なうことにより、優先接続制御を行なうことが出来る。
【図面の簡単な説明】
【図１】本発明の原理構成を示すブロック図である。
【図２】本発明の第１の実施の形態例を示すブロック図である。
【図３】本発明の第２の実施の形態例を示すブロック図である。
【図４】本発明の第３の実施の形態例を示すブロック図である。
【図５】本発明の第４の実施の形態例を示すブロック図である。
【図６】携帯電話網の概略説明図である。
【符号の説明】
１０　　　　　　　　　　　　交換装置
１１　　　　　　発信規制制御手段
１２　　　　　　　　　　　　ユーザ情報管理手段
２０〜２３　　　携帯電話
３１　　　　　　発信規制判断部
３２　　　　　　発呼許可／否判断部
４１　　　　　　　　　　　　優先情報管理手段
４２　　　　　　　　　　　　エリア情報送信手段
【図１】
2004023648.tif 000003
【図２】
2004023648.tif 000004
【図３】
2004023648.tif 000005
【図４】
2004023648.tif 000006
【図５】
2004023648.tif 000007
【図６】
2004023648.tif 000008